(57)【要約】【課題】熱膨張材の効果的な活用によって、安定した防火性能を発揮させる軒裏天井の換気技術を提供することにある。【解決手段】外壁に固定され、天井板６０を挿入する挿入部１２と、屋外から換気穴２６，２６，…を通り天井裏へ抜ける換気用通気路２０と、熱により膨張して換気用通気路２０を塞ぐ熱膨張材５０とを備えた支持金具１０を用いて、軒裏の天井板６０が支持固定される軒裏天井の換気構造であって、熱膨張材５０の膨張を規制するための規制部材３０を支持金具１０に備える。その規制部材３０は、通気性を備えた耐火物であり、支持金具１０に対して規制部材３０を取り付けるための取付部３１と、熱膨張材５０の外側に位置し、熱膨張材５０の膨張に当接させることでその膨張を規制する当接部３５とを備える。【選択図】  図３
2004218339.tif 000002
【特許請求の範囲】
【請求項１】
外壁に固定され、
天井板を挿入する挿入部と、
屋外から換気穴を通り天井裏へ抜ける換気用通気路と、
熱により膨張して換気用通気路を塞ぐ熱膨張材とを備えた支持金具を用いて、軒裏の天井板が支持固定される軒裏天井の換気構造であって、
熱膨張材の膨張を規制するための規制部材を支持金具に備えた軒裏天井の換気構造。
【請求項２】
規制部材が、支持金具に対して規制部材を取り付けるための取付部と、
熱膨張材の外側に位置し、熱膨張材の膨張に当接させることでその膨張を規制する当接部とを備えたことを特徴とする請求項１記載の軒裏天井の換気構造。
【請求項３】
規制部材が通気性を備えた耐火物であることを特徴とする請求項１又は２記載の軒裏天井の換気構造。
【請求項４】
規制部材が、換気用通気路における通気方向への熱膨張材の膨張を規制することを特徴とする請求項１，２又は３記載の軒裏天井の換気構造。
【発明の詳細な説明】
【０００１】
【発明の属する技術分野】
本発明は、建物における屋根の軒先端と建物外壁との間やバルコニーの裏の空所部分などに天井板を取り付ける軒裏天井の換気構造、それに用いられる支持金具及び規制部材に関するものである。
【０００２】
【従来の技術】
従来、この種の軒裏天井の換気構造としては、例えば特許文献１に示すものが公知である。この換気構造に使用される支持金具は、天井板の端部を差し込めるように断面略コ字状の挿入凹部が設けられている。また、支持金具の上下面には、軒裏空間部へ通気可能なように多数のスリットを設けた換気穴が設けられ、換気穴及び換気用通気路を通して屋外と軒裏空間部との通気が可能となっている。
【０００３】
そして、上記支持金具には、換気穴近くに熱により燃焼することなく膨張する熱膨張材を設け、火災時に熱風により膨張して換気用通気路を塞ぐため、屋外から換気穴を通して火炎や火の粉が侵入しないように構成している。
【０００４】
【特許文献１】
特開平６−７３８２８号公報
【０００５】
【発明が解決しようとする課題】
ところで、この熱膨張材が熱風に触れ膨張が進むと、膨張した分だけ熱膨張材の密度が薄くなるために粉塵状となる場合がある。すると、換気用通気路を通る熱風によって粉塵状の熱膨張材が飛び散ってしまい、熱膨張材が換気用通気路の閉塞効果を十分に発揮できなくなることがある。
【０００６】
そこで、本発明は、熱膨張材の効率的な活用によって、安定した防火性能を発揮させる軒裏天井の換気技術を提供することを目的とする。
【０００７】
【課題を解決するための手段】
上記目的を達成するために、第一の発明は、外壁に固定され、天井板を挿入する挿入部と、屋外から換気穴を通り天井裏へ抜ける換気用通気路と、熱により膨張して換気用通気路を塞ぐ熱膨張材とを備えた支持金具を用いて、軒裏の天井板が支持固定される軒裏天井の換気構造であって、熱膨張材の膨張を規制するための規制部材を支持金具に備えた軒裏天井の換気構造である。
【０００８】
第二の発明は、その規制部材が、支持金具に対して規制部材を取り付けるための取付部と、熱膨張材の外側に位置し、熱膨張材の膨張に当接させることでその膨張を規制する当接部とを備えたことを特徴とする。
【０００９】
第三の発明は、その規制部材が通気性を備えた耐火物であることを特徴とし、第四の発明は、その規制部材が、換気用通気路における通気方向への熱膨張材の膨張を規制することを特徴とする。
【００１０】
【作用】
第一の発明によれば、外壁に固定され、天井板を挿入する挿入部と、屋外から換気穴を通り天井裏へ抜ける換気用通気路と、熱により膨張して換気用通気路を塞ぐ熱膨張材とを備えた支持金具を用いて、軒裏の天井板が支持固定される軒裏天井の換気構造にあって、熱膨張材の膨張を規制するための規制部材を支持金具に備えることで、熱膨張材の膨張が規制され、熱膨張材の効果的な膨張によって換気用通気路の閉塞状態が十分に発揮される。
【００１１】
第二の発明によれば、規制部材は、その取付部によって、支持金具に対して取り付けられ、熱膨張材の外側に位置する当接部によって、熱膨張材の膨張を規制する。
【００１２】
第三の発明によれば、規制部材が通気性を備えた耐火物であることで、通常時にあっては換気用通気路を通る通気の障害とはならず、火災等が発生した場合には熱膨張材の膨張を規制する。
【００１３】
第四の発明によれば、規制部材が、換気用通気路における通気方向への熱膨張材の膨張を規制することで、熱風による熱膨張材の拡散・飛散が防止される。
【００１４】
【発明の実施の形態】
本発明の実施形態を図面に基づいて説明する。図１は、本発明の軒裏天井の換気構造に用いられる支持金具１０を示した斜視図である。支持金具１０は、不燃性の軒裏の天井板６０を挿入できる挿入凹部１２と、外気が通る換気用通気路２０と、横列状に複数個の換気穴２６，２６，…が設けられた支持片２５とで構成されている。
【００１５】
上記挿入凹部１２は、斜め下向きに短く張り出す短片１３と長く張り出す長片１４とで上面を略ヘ字形に形成し、この長片１４の下方端部に垂下する第一垂下片１５を介して上面下へ折り返して水平に延びる下片１６を形成し、この短片１３と長片１４と第一垂下片１５と下片１６とで挿入凹部１２が構成されている。
【００１６】
上記下片１６の反第一垂下片１５側端部は、垂下する第二垂下片１７を介して下片１６下に折り返して水平に延び、且つ下片１６より若干長目の底面１８が形成される。さらに、底面１８の反第二垂下片１７側端部に屈曲片２７を介して垂直状に延びる支持片２５が形成されている。この支持片２５には、横列状に複数個の換気穴２６，２６，…とその上方に複数個の外壁固定用穴２８，２８，…とが穿ってある。また、この第一垂直片１５と支持片２５との間は、その換気穴２６，２６，…を通って通気で換気できる換気用通気路２０が形成される。
【００１７】
第一垂下片１５には、略レ字形の突出片２９が複数個所定間隔ごとに形成されている。そして、この突出片２９に挟まれるようにして、熱膨張材５０が支持金具１０に取り付けられている。
【００１８】
ここで、熱膨張材５０は、熱により燃焼することなく膨張して換気用通気路２０を塞ぐことができる性能があればよい。例えば、膨張黒鉛系の防炎、防煙用のシール材があり、通過熱風温度が１５０〜１７０℃で約１０倍に膨張する膨張材が挙げられる。この他、バーミキュライトとセラミックファイバーのシール材や膨張黒鉛系とアルミナ三水和物のシール材、ゴム系のシール材などが挙げられ、換気用通気路４の形状等により発砲倍率も４〜３０倍程度のものを適宜利用できる。例えば、積水化学工業（株）の商品名フィブロック、住友スリーエム（株）の商品名ウルトラＧＳ、ニチアス（株）の商品名バーモフレックスなどを利用できる。
【００１９】
図２は、火災時等でこの支持金具１０の換気穴２６，２６，…から換気用通気路２０へ、熱風が入ってきた場合の熱膨張材５０の状態を示したものである。図２（Ｉ）は熱風に触れ熱膨張材５０が膨張する前の状態、図２（ＩＩ）は熱風に触れ熱膨張材５０が膨張を開始した状態、図３（ＩＩＩ）は熱膨張材５０の膨張によって換気用通気２０が閉塞された状態をそれぞれ示している。
【００２０】
図２（ＩＩ）と（ＩＩＩ）に示すように熱膨張材５０が膨張し、このまま膨張が進むと熱膨張材の密度が低下し、熱膨張材５０が粉塵状になる。換気用通気路２０は、右斜め下に開口された換気穴２６，２６，…から上方へ向かって熱風が通る通気方向となっている。このため、図２（ＩＩＩ）に示すように、熱風の進行方向すなわち上方へ向かって熱膨張材５０が膨張する。そして、粉塵状に膨張した熱膨張材５０にあっては拡散・飛散し、熱膨張材が換気用通気路の閉塞効果を十分に発揮できなくなる。
【００２１】
これに対して、図３に示す本発明の規制部材３０を支持金具１０へ取り付けることになる。規制部材３０は略Ｌ字形をしており、支持金具１０の第一垂下片１５と熱膨張材５０との間に挟み込むことで規制部材３０を支持金具１０へ取り付ける取付部３１と、熱膨張材５０の上方外側に位置し、熱膨張材５０の膨張に当接する当接部３５とを備える。また、規制部材３０には、通気性を備えた耐熱材、例えば、ステンレス製メッシュ材（ＳＵＳメッシュ）、穴あき鉄板などを用いる。
【００２２】
図４は、規制部材３０を取り付けた支持金具１０の断面図である。規制部材３０は通気性があるため、通常時にあっては換気穴２６から換気用通気路２０を通る通気の障害とはならない。一方で、火災等により熱風が換気穴２６から入ってきた場合に、熱膨張材５０は膨張によって規制部材３０の当接部３５と当接し、上方への膨張が規制され一点鎖線に示すような膨張となる。このため、熱膨張材５０は拡散・飛散等がない効果的な膨張となり、換気用通気路２０を確実に塞ぐことができる。
【００２３】
【発明の効果】
本発明によれば、次のような効果を有する。
▲１▼  規制部材が、熱膨張材の膨張を規制することで、熱膨張材の拡散・飛散等を防止する効果的な膨張によって、換気用通気路の確実な閉塞が図られる。この結果、この規制部材を備える支持金具が安定した防火性能を発揮する。
▲２▼  規制部材が取付部と当接部とを備えた簡単な構成で、熱膨張材の膨張を規制できる。
▲３▼  規制部材が通気性を備えた耐火物とすることで、通常時にあっては換気用通気路を通る通気の障害とはならず、火災等が発生した場合には熱膨張材の膨張を規制できる。
▲４▼  規制部材が、換気用通気路における通気方向への熱膨張材の膨張を規制することで、熱膨張材の膨張による拡散・飛散を有効に防止できる。
【図面の簡単な説明】
【図１】支持金具を示す斜視図。
【図２】熱膨張材の状態を示した説明図。
【図３】本発明の実施形態を示す説明図。
【図４】本発明の実施形態を示す断面図。
【符号の説明】
１０    支持金具          １２    挿入部
２０    換気用通気路      ２６    換気穴
３０    規制部材          ３１    取付部
３５    当接部            ５０    熱膨張材
６０    天井板
【図１】
2004218339.tif 000003
【図２】
2004218339.tif 000004
【図３】
2004218339.tif 000005
【図４】
2004218339.tif 000006